(57)【要約】      （修正有）【課題】有害物質を含有するメッキ液の溢流を防止するメッキ槽の提供。【解決手段】断面が判弧状の消波兼溢流防止部が内側方向に向けてメッキ槽本体の上縁部に一体的に形成されていることを特徴とし、１つ又は複数の断面が判弧状の消波兼溢流防止部が内側方向に向けてメッキ槽側壁の内側に一体的に形成されていることを特徴とし、断面が判弧状の消波兼溢流防止部が内側方向に向けて、既存のメッキ槽本体の上縁部に着脱自在に構成されていることを特徴とし、１つ又は複数の断面が判弧状の消波兼溢流防止部が内側方向に向けて、既存のメッキ槽側壁の内側に着脱自在に形成されていることを特徴とし、且つ、断面が判弧状の消波兼溢流防止部の外側が、メッキ槽側壁の外側より膨出し、メッキ槽側壁間の寸法より消波兼溢流防止部間の寸法が大きく形成され、消波兼溢流防止部の内側はメッキ槽本体の開口部を狭めないように構成されており、消波兼溢流防止部の内側に隔壁を形成し、更に消波効果を向上させた溢流防止メッキ槽を提供するものである。【選択図】図２
0003116800.tif 000002
【実用新案登録請求の範囲】
【請求項１】
断面が判弧状の消波兼溢流防止部が内側方向に向けてメッキ槽本体の上縁部に一体的に形成されていることを特徴とする溢流防止メッキ槽。
【請求項２】
１つ又は複数の断面が判弧状の消波兼溢流防止部が内側方向に向けてメッキ槽側壁の内側に一体的に形成されていることを特徴とする溢流防止メッキ槽。
【請求項３】
断面が判弧状の消波兼溢流防止部が内側方向に向けて、既存のメッキ槽本体の上縁部に着脱自在に構成されていることを特徴とする溢流防止メッキ槽。
【請求項４】
１つ又は複数の断面が判弧状の消波兼溢流防止部が内側方向に向けて、既存のメッキ槽側壁の内側に着脱自在に形成されていることを特徴とする溢流防止メッキ槽。
【請求項５】
断面が判弧状の消波兼溢流防止部の外側が、メッキ槽側壁の外側より膨出し、メッキ槽側壁間の寸法より消波兼溢流防止部間の寸法が大きく形成され、消波兼溢流防止部の内側はメッキ槽本体の開口部を狭めないように構成されていることを特徴とする請求項１記載の溢流防止メッキ槽。
【請求項６】
消波兼溢流防止部の内側の複数個所に隔壁を形成したことを特徴とする請求項１記載の溢流防止メッキ槽。
【考案の詳細な説明】
【技術分野】
【０００１】  本考案は、有害物質を含有するメッキ液の溢流を防止するメッキ槽に関する。
【背景技術】
【０００２】  一般にメッキ液は有害物質を含んでいるので、メッキ槽から溢流して飛散することがあってはならない。そのため特開２００１−２４３０７号公報のようなめっき装置や、メッキ槽ではなくても実開平２−３３８６４号公報にあるような機能的に溢流を防止するオーバーフロー防止水槽が開示されている。【０００３】
【特許文献１】  特開２００１−２４３０７
【特許文献２】  実開平２−３３８６４
【０００４】  前記せる特開２００１−２４３０７号公報では、オーバーフローしためっき液は、めっき槽の外側に配置されためっき液受けにより回収され、めっき液貯留槽に戻される装置であって配管やポンプ等の複雑な構成になっている。また、前記せる実開平２−３３８６４号公報では、めっき槽ではないが機能的に溢流を防止するオーバーフロー防止水槽が開示されており、水槽側壁の上端縁に蛇腹上軟質材による中空の伸縮側壁を設けている。
【考案の開示】
【考案が解決しようとする課題】
【０００５】  上述した従来構造では、いずれの場合でも地震等の振動によって槽内の液体に波が生じた場合に、例え水位が低い場合でも内壁と衝突して槽内の液体は槽の外側にオーバーフローして飛散するものであった。【０００６】  本考案はこのような事情に鑑みてなされたものであり、簡単な構造で、地震等の振動によって槽内の液体に波が生じた場合でも、消波効果があって槽内の液体がオーバーフローして槽外に飛散することがない構造であり、しかも、メッキ槽以外のオーバーフロー防止水槽や既存のめっき槽にも容易に後付けができるものである。
【課題を解決するための手段】
【０００７】    本考案の溢流防止メッキ槽は、断面が判弧状の消波兼溢流防止部が内側方向に向けてメッキ槽本体の上縁部に一体的に形成されていることを特徴とし、１つ又は複数の断面が判弧状の消波兼溢流防止部が内側方向に向けてメッキ槽側壁の内側に一体的に形成されていることを特徴とし、断面が判弧状の消波兼溢流防止部が内側方向に向けて、既存のメッキ槽本体の上縁部に着脱自在に構成されていることを特徴とし、１つ又は複数の断面が判弧状の消波兼溢流防止部が内側方向に向けて、既存のメッキ槽側壁の内側に着脱自在に形成されていることを特徴とし、断面が判弧状の消波兼溢流防止部の外側が、メッキ槽側壁の外側より膨出し、メッキ槽側壁間の寸法より消波兼溢流防止部間の寸法が大きく形成され、消波兼溢流防止部の内側はメッキ槽本体の開口部を狭めないように構成されていることを特徴とし、且つ、消波兼溢流防止部の内側の複数個所に隔壁を形成したことを特徴とする溢流防止メッキ槽を提供するものである。
【考案の効果】
【０００８】  本考案の溢流防止メッキ槽によれば、簡単な構造であって、地震等の振動によって槽内の液体に波が生じた場合でも、消波効果があって槽内の液体がオーバーフローして槽外に飛散することがない構造であり、しかも、メッキ槽以外のオーバーフロー防止水槽や既存のめっき槽にも容易に後付けができるものである。
【考案を実施するための最良の形態】
【０００９】  以下、図面に基づき本考案の構成を具体的に説明する。図面において、図１は本考案に係る溢流防止メッキ槽の全体斜視図である。図２は図２のＡ−Ａ線断面図である。図３は他の実施例を示す溢流防止メッキ槽の部分断面図である。図４は他の実施例を示す溢流防止メッキ槽の部分断面図である。【００１０】  請求項１乃至請求項３において、本考案の溢流防止メッキ槽は、断面が判弧状の消波兼溢流防止部２が内側方向に向けてメッキ槽本体１の上縁部に一体的又は着脱自在に形成されているものであり、地震等の振動でメッキ液５に波５１が生じたとき、消波兼溢流防止部２の内側で波５１が返されてメッキ槽本体１の開口部１１に戻されると共に、続いて生じる波とぶつかり合って消波効果も生じるものである。【００１１】    また、消波兼溢流防止部の内側の複数個所に隔壁６，６１を形成したことによって、波の乱流や波の方向が変化してもその隔壁にあたって消波効果を生じるものである。【００１２】  請求項２乃至請求項４において、この場合は請求項１乃至請求項３において説明した断面が判弧状の消波兼溢流防止部２の他に、１つ又は複数の断面が判弧状の消波兼溢流防止部３が内側方向に向けてメッキ槽側壁４の内側に一体的又は着脱自在に構成されているので、消波兼溢流防止部２の内側乃至消波兼溢流防止部２の内側で波５１が返されてメッキ槽本体１の開口部１１に戻されると共に、続いて生じる波とぶつかり合って消波効果も生じ、且つ、メッキ液５の内部の動きを抑止する効果も生じるものである。【００１３】  図１乃至図３において説明すると、本考案の溢流防止メッキ槽は、断面が判弧状の消波兼溢流防止部２が内側方向に向けてメッキ槽本体１の上縁部に一体的又は着脱自在に形成されているものであり、地震等の振動でメッキ液５に波５１が生じたとき、消波兼溢流防止部２の内側で波５１が返されてメッキ槽本体１の開口部１１に戻されると共に、続いて生じる波とぶつかり合って消波効果も生じるものである。【００１４】  また、断面が判弧状の消波兼溢流防止部２の外側が、メッキ槽側壁４の外側より膨出しており、メッキ槽側壁４間の寸法Ｌ２より消波兼溢流防止部２間の寸法Ｌ１が大きく形成され、消波兼溢流防止部２の内側はメッキ槽本体１の開口部１１を狭めないように構成されている。【００１５】  図３では、断面が判弧状の消波兼溢流防止部２の基部に嵌着部２１が形成されており、要すれば嵌着部２１の内側先端に消波部３を一体的に固定することもでき、容易に既存のメッキ槽に後付けで嵌着することができる。【００１６】  また、図４に示すように、消波兼溢流防止部３０と消波部３と嵌着部３１とを一体的に形成し、容易に既存のメッキ槽に後付けで嵌着することができる。
【実施例】
【００１７】  本考案の溢流防止メッキ槽と従来の消波兼溢流防止部を持たないストレートのメッキ槽を並べて同一条件で振動や横揺れ動作を加えて比較実験した結果、従来例のメッキ槽ではメッキ液の波がメッキ槽外へ激しく飛び出してしまい、極端に飛散してしまったが、本考案の溢流防止メッキ槽ではメッキ液に波が立ってもメッキ液がメッキ槽外に溢流したり飛散することはなかった。
【産業上の利用可能性】  一般にメッキ液は有害物質を含んでいるので、地震等の震度の大小によってメッキ槽からメッキ液が溢流飛散して周囲に二次的な事故を誘発することが生じるが、本法案の溢流防止メッキ槽によれば、それらの事故を未然に防ぐことができ、産業上の利用価値は大きいものである。
【図面の簡単な説明】
【００１８】
【図１】  本考案に係る溢流防止メッキ槽の全体斜視図である。
【図２】  図２のＡ−Ａ線断面図である。
【図３】  他の実施例を示す溢流防止メッキ槽の部分断面図である。
【図４】  他の実施例を示す溢流防止メッキ槽の部分断面図である。
【符号の説明】
【００１９】  １．メッキ槽本体
１１．開口部
２．消波兼溢流防止部
２１．嵌着部
３．消波部
３０．消波兼溢流防止部
３１．嵌着部
４．メッキ槽側壁
５．メッキ液
５１．波
６．隔壁
６１．隔壁
Ｌ１．消波兼溢流防止部外側間寸法
Ｌ２．メッキ槽外側間寸法
【図１】
0003116800.tif 000003
【図２】
0003116800.tif 000004
【図３】
0003116800.tif 000005
【図４】
0003116800.tif 000006